(57)【要約】【課題】並設されたロービームユニット及びハイビームユニットの前部に、該ロービームユニット及びハイビームユニットの並設方向に伸びる形状を構成する投影レンズが備えられている車両用灯具において、ロービームを車両前方に照射するときに、灯具全体を光らせる。【解決手段】ロービームユニットＬＵとハイビームユニットＨＵとを横方向に並設した状態で設け、そのロービームユニットＬＵ及びハイビームユニットＨＵの前部に、共通の投影レンズ１９として、横方向に連続的に伸びるものを備える。その下で、ロービームユニットＬＵ及びハイビームユニットＨＵの少なくともいずれか一方を、ロービームユニットＬＵが投影レンズ１９の横方向一方側領域２４にロービームを出射するとき、投影レンズ１９の横方向他方側領域２５に向けてロービームを出射するように設定する。【選択図】図７
2018092883.tif 000002
【特許請求の範囲】
【請求項１】
ロービームを出射するロービームユニットとハイビームを出射するハイビームユニットとが並設した状態で備えられ、前記ロービームユニット及び前記ハイビームユニットの前部に、共通の投影レンズとして、該ロービームユニット及びハイビームユニットの並設方向に伸びるようにして構成するものが備えられ、前記投影レンズの伸び方向一方側領域が前記ロービームユニットからのロービームの透過領域とされ、前記投影レンズの伸び方向他方側領域が前記ハイビームユニットからのハイビームの透過領域とされている車両用灯具において、
前記ロービームユニット及び前記ハイビームユニットの少なくともいずれか一方が、該ロービームユニットが前記投影レンズの伸び方向一方側領域にロービームを出射するとき、該投影レンズの伸び方向他方側領域に向けてロービームを出射するように設定されている、
ことを特徴とする車両用灯具。
【請求項２】
請求項１において、
前記ロービームユニットが出射する出射光を、前記投影レンズの伸び方向他方側領域に向けて案内する案内リフレクタが備えられている、
ことを特徴とする車両用灯具。
【請求項３】
請求項２において、
前記案内リフレクタが複数用いられている、
ことを特徴とする車両用灯具。
【請求項４】
請求項１において、
前記ハイビームユニットが、光源として、ハイビーム用光源の他に、ロービーム用光源を備えている、
ことを特徴とする車両用灯具。
【請求項５】
請求項４において、
前記ハイビーム用光源及び前記ロービーム用光源の発光を調整する光源調整手段と、
前記ロービームユニットによるロービーム出射の選択操作を検出するロービーム選択検出手段と、
前記ロービーム選択検出手段からの情報に基づき、ロービーム出射の選択操作がなされたと判断したとき、前記光源調整手段を制御して、前記ロービーム用光源を発光させる制御手段と、
を備えている、
ことを特徴とする車両用灯具。
【請求項６】
請求項１において、
前記投影レンズが、該投影レンズの伸び方向一方側領域と該投影レンズの伸び方向他方側領域とが一体的に連なっている、
ことを特徴とする車両用灯具。
【請求項７】
請求項１において、
前記投影レンズが、該投影レンズの伸び方向一方側領域と該投影レンズの伸び方向他方側領域とが隣合った配置状態とされている、
ことを特徴とする車両用灯具。
【発明の詳細な説明】
【技術分野】
【０００１】
本発明は、車両用灯具に関する。
【背景技術】
【０００２】
近年、車両用灯具として、特許文献１に示すように、光源からの光を投影レンズに向けて反射させるリフレクタの前方に、光源からの光を後方へ反射させる第１サブリフレクタと、該第１サブリフレクタからの反射光を投影レンズに向けて反射させる第２サブリフレクタと、を備えたもの提案されている。
このものによれば、第１、第２サブリフレクタを、付加配光パターンを形成するための専用の光制御部材として用いることができ、配光パターンの明るさを効果的に補強することができる。
【０００３】
ところで、近時、車両用灯具においては、デザイン上の理由等から、ロービームを出射するロービームユニットと、ハイビームを出射するハイビームユニットとを並設した状態で設け、そのロービームユニット及びハイビームユニットの前部に、共通の投影レンズとして、該ロービームユニット及びハイビームユニットの並設方向に伸びるようにして構成するもの（例えば、横長形状を形成する一枚の投影レンズや、これまでのロービームユニット用投影レンズとハイビームユニット用投影レンズとを隣合った状態に配置して実質的に横長形状を構成した投影レンズ）を備えたものが提案されている。
このような車両用灯具においては、その使用に当り、ロービームを車両前方に照射するときには、ロービームユニットが、ロービームを前記投影レンズの伸び方向一方側領域に向けて出射し、ハイビームを車両前方に照射するときには、前記ロービームユニットによるロービームの出射に加えて、ハイビームユニットが、ハイビームを前記投影レンズの伸び方向他方側領域に向けて出射することになる。
【先行技術文献】
【特許文献】
【０００４】
【特許文献１】特開２０１４−２２５３９２号公報
【発明の概要】
【発明が解決しようとする課題】
【０００５】
しかし、上記車両用灯具においては、ロービームを車両前方に照射するときには、ロービームユニットがロービームを投影レンズの伸び方向一方側領域に向けて出射することになることから、その投影レンズの伸び方向一方側領域だけが光ることになり、投影レンズの残りの領域（投影レンズの伸び方向他方側領域）については光らないことになる。このため、並設されたロービームユニット及びハイビームユニットの前部に、ロービームユニット及びハイビームユニットの並設方向に伸びるようにして構成する投影レンズが備えられている場合においては、ロービームを車両前方に照射するときには、灯具としての機能性からは問題が生じないものの、灯具全体が光らず、見栄えの観点から必ずしも十分なものとはなっていない。
【０００６】
本発明は、上記実情に鑑みてなされたもので、その目的は、並設されたロービームユニット及びハイビームユニットの前部に、該ロービームユニット及びハイビームユニットの並設方向に伸びる形状を構成する投影レンズが備えられている車両用灯具において、ロービームを車両前方に照射するときに、灯具全体を光らせることにある。
【課題を解決するための手段】
【０００７】
前記目的を達成するために本発明にあっては、下記（１）〜（７）の構成とされている。
（１）ロービームを出射するロービームユニットとハイビームを出射するハイビームユニットとが並設した状態で備えられ、前記ロービームユニット及び前記ハイビームユニットの前部に、共通の投影レンズとして、該ロービームユニット及びハイビームユニットの並設方向に伸びるようにして構成するものが備えられ、前記投影レンズの伸び方向一方側領域が前記ロービームユニットからのロービームの透過領域とされ、前記投影レンズの伸び方向他方側領域が前記ハイビームユニットからのハイビームの透過領域とされている車両用灯具において、
前記ロービームユニット及び前記ハイビームユニットの少なくともいずれか一方が、該ロービームユニットが前記投影レンズの伸び方向一方側領域にロービームを出射するとき、該投影レンズの伸び方向他方側領域に向けてロービームを出射するように設定されている構成とされている。
この構成によれば、ロービームユニットが投影レンズの伸び方向一方側領域にロービームを出射するときには、ロービームユニット及びハイビームユニットの少なくともいずれか一方が、投影レンズの伸び方向他方側領域に向けてロービームを出射することから、投影レンズの伸び方向一方側領域だけでなく投影レンズの伸び方向他方側領域をも光らせることができる。
【０００８】
（２）前記（１）の構成の下で、
前記ロービームユニットが出射する出射光を、前記投影レンズの伸び方向他方側領域に向けて案内する案内リフレクタが備えられている構成とされている。
この構成によれば、ロービームユニットが出射する出射光を、案内リフレクタを利用して、具体的に投影レンズの伸び方向他方側領域に向けて案内して、その投影レンズの伸び方向他方側領域をも光らせることができる。
することができる。
【０００９】
（３）前記（２）の構成の下で、
前記案内リフレクタが複数用いられている構成されている。
この構成によれば、ロービームユニットが出射するロービームを投影レンズの伸び方向他方側領域に案内するに際して、その案内を、複数の案内リフレクタを用いて具体的且つ的確に行うことができる。
【００１０】
（４）前記（１）の構成の下で、
前記ハイビームユニットが、光源として、ハイビーム用光源の他に、ロービーム用光源を備えている構成とされている。
この構成によれば、ロービームユニットが投影レンズの伸び方向一方側領域にロービームを出射するとき、ハイビームユニットにおけるロービーム用光源を発光させることにより、そのハイビームユニットから投影レンズの伸び方向他方側領域に向けてロービームを出射することができ、投影レンズの伸び方向一方側領域だけでなく、投影レンズの伸び方向他方側領域をもロービームをもって光らせることができる。
【００１１】
（５）前記（４）の構成の下で、
前記ハイビーム用光源及び前記ロービーム用光源の発光を調整する光源調整手段と、
前記ロービームユニットによるロービーム出射の選択操作を検出するロービーム選択検出手段と、
前記ロービーム選択検出手段からの情報に基づき、ロービーム出射の選択操作がなされたと判断したとき、前記光源調整手段を制御して、前記ロービーム用光源を発光させる制御手段と、
を備えている構成とされている。
この構成によれば、ロービームユニットが投影レンズの伸び方向一方側領域にロービームを出射して投影レンズの伸び方向一方側領域を光らせるとき、ハイビームユニットにおけるロービーム用光源の発光に基づき、投影レンズの伸び方向他方側領域をロービームをもって光らせることができる。
【００１２】
（６）前記（１）の構成の下で、
前記投影レンズが、該投影レンズの伸び方向一方側領域と該投影レンズの伸び方向他方側領域とが一体的に連なっている構成とされている。
この構成によれば、投影レンズが、その投影レンズの伸び方向一方側領域とその投影レンズの伸び方向他方側領域とが一体的に連なっている構成とされていても、その投影レンズを、その伸び方向全体に亘って光らせることができる。
【００１３】
（７）前記（１）の構成の下で、
前記投影レンズが、該投影レンズの伸び方向一方側領域と該投影レンズの伸び方向他方側領域とが隣合った配置状態とされている構成とされている。
この構成によれば、投影レンズが、その投影レンズの伸び方向一方側領域とその投影レンズの伸び方向他方側領域とが隣合った配置状態とされている構成とされていても、その投影レンズを、その伸び方向全体に亘って光らせることができる。
【発明の効果】
【００１４】
本発明によれば、並設されたロービームユニット及びハイビームユニットの前部に、該ロービームユニット及びハイビームユニットの並設方向に伸びるようにして構成する投影レンズが備えられている車両用灯具において、ロービームを車両前方に照射するときに、灯具全体を光らせることができる。
【図面の簡単な説明】
【００１５】
【図１】第１実施形態に係る車両用灯具を示す正面図。
【図２】図１のＸ２−Ｘ２線断面図。
【図３】図１のＸ３−Ｘ３線断面図。
【図４】第１実施形態に係る灯具ユニットを示す斜視図。
【図５】第１実施形態において、ロービームユニットからロービームが出射されるときの基本的状態を説明する説明図。
【図６】第１実施形態において、ハイビームユニットからハイビームが出射されるときの基本的状態を説明する説明図。
【図７】第１実施形態において、ロービームユニットから出射光が出射されるとき、ロービームユニットからの出射光が投影レンズの横方向一方側領域だけでなく投影レンズの横方向他方側領域に向けても案内されることを説明する説明図。
【図８】第２実施形態を説明する説明図。
【図９】第３実施形態に係る車両用灯具を示す正面図。
【図１０】図９のＸ１０−Ｘ１０線断面図。
【図１１】第３実施形態において用いられる制御ユニットに対する入出力関係を示す説明図。
【図１２】第３実施形態に係る制御例を示すフローチャート。
【図１３】第３実施形態として、ロービームユニットからのロービームがロービームユニット用投影レンズに出射され、ハイビームユニット（ロービーム用光源）からのロービームがハイビームユニット用投影レンズに出射されることを説明する説明図。
【図１４】第４実施形態を平面視をもって説明する説明図。
【図１５】第４実施形態を正面視をもって説明する説明図。
【図１６】第５実施形態を平面視をもって説明する説明図。
【図１７】第５実施形態を正面視をもって説明する説明図。
【図１８】第６実施形態を平面視をもって説明する説明図。
【図１９】第６実施形態を正面視をもって説明する説明図。
【発明を実施するための形態】
【００１６】
以下、本発明の実施形態について、図面に基づいて説明する。
図１において、符号１は、第１実施形態に係る車両用灯具としての右前照灯（以下、前照灯という）を示す。この前照灯１は、他の前照灯（左前照灯）と共に車両前部に取付けられて、車両前方を照射する。
【００１７】
前記前照灯１は、図１〜図３に示すように、前方が開口されたランプボディ２と、そのランプボディ２の開口を覆う透光カバー３とを備えている。
【００１８】
前記ランプボディ２は、図２、図３に示すように、上下方向に起立する背壁部２ａと、その背壁部２ａの周縁部から前方（図１中、左方）に張り出す周壁部２ｂと、により構成されている。背壁部２ａは、一定高さを維持しつつ横方向（図２、図３中、紙面直交方向）に延びており、周壁部２ｂは、背壁部２ａと協働して収納空間４を区画し、その周壁部２ｂの先端部は、収納空間４における横長形状の開口５を形成している。
【００１９】
前記透光カバー３は、図２、図３に示すように、前記ランプボディ２の周壁部２ｂ先端部に対して着脱可能に取付けられている。これにより、透光カバー３とランプボディ２とは、灯具筐体を形成すると共に、その内部に密閉状態の灯室６を形成している。この透光カバー３は、透光性を有しており、灯室６において発光する光は、透光カバー３を介して外部に照射される。本実施形態においては、透光カバー３として樹脂製レンズが用いられ、その透光カバー３の表面部は、上方に向うに従って後方に向うように傾斜されている。
【００２０】
前記灯室６内には、図２、図３に示すように、金属製支持部材（例えばアルミダイキャスト製品）８が配設されている。支持部材８は、一定幅を維持しつつ伸びる形状に形成されており、その支持部材８は、ランプボディ２の背壁部２ａにエイミングスクリュ１１ａ等を介して取付けられることにより、その支持部材７の板面（前後面）を前後方向に向かせつつ、背壁部２ａから前方側に離間させた状態の下で横方向に伸ばされている。
【００２１】
この支持部材８は、図１〜図３に示すように、その後面８ａが平坦面に形成されている一方、その前面８ｂには、第１標識灯具ユニット配設領域９、第２標識灯具ユニット配設領域１０、ロービームユニット配設領域１２、ハイビームユニット配設領域１３がそれぞれ設定されている。
【００２２】
第１標識灯具ユニット配設領域９は、支持部材前面８ｂの上部及び外側側部（図１中、左側の側部）の各領域９ａ，９ｂをもって設定されており、その第１標識灯具ユニット配設領域９は、上部領域９ａと外側側部領域９ｂとの交差部分を中心として屈曲された形状に形成されている（図１において、後述の第１導光レンズ１６ａの形状を参照）。この標識灯具ユニット配設領域９のうち、上部領域９ａにおいては、支持部材前面８ｂが、その支持部材前面８ｂの外周縁部（例えば、エイミングスクリュ１１ａ等により取付けられる外周縁部分）よりも多少、突出された突出部４１を有しており、その突出部４１は、その先端面４１ａを平坦面としつつ横方向に伸ばされている。外側側部領域９ｂにおいては、支持部材前面８ｂの上部での厚みが、下側に向うに従って階段状に増加することになっている。
【００２３】
第２標識灯具ユニット配設領域１０は、支持部材前面８ｂの下部において、第１標識灯具ユニット配設領域９における外側側部領域９ｂの下部から横方向に離れるように設定されている（図１において、後述の第２導光レンズ１７ａの形状を参照）。この第２標識灯具ユニット配設領域１０においては、支持部材前面８ｂが、前記上部領域９ａにおける突出部４１よりも突出された突出部４２を横方向全体に亘って形成しており、その突出部４２の先端面４２ａは、平坦面を形成しつつ、第１標識灯具ユニット配設領域９における外側側部領域９ｂの支持部材前面８ｂの下部面に対して面一となっている。尚、第１、第２標識灯具ユニット配設領域９、１０の上下方向の範囲については、図２、図３において、矢印をもって示す範囲となる。
【００２４】
ロービームユニット配設領域１２とハイビームユニット配設領域１３とは、第１標識灯具ユニット配設領域９における上部領域９ａと第２標識灯具ユニット配設領域１０との間において、横方向に並設された状態で設定されている。本実施形態においては、ロービームユニット配設領域１２がハイビームユニット配設領域１３よりも外方側（車幅方向外方側）に配置されており、このロービームユニット配設領域１２及びハイビームユニット配設領域１３の横方向の範囲については、図１において、矢印をもって示す範囲となり、それらの縦方向の範囲については、図２、図３において、矢印をもって示す範囲となる。
【００２５】
具体的に説明する。ロービームユニット配設領域１２においては、支持部材前面８ｂが、前記上部領域９ａから、その支持部材前面８ｂと同一平面を維持しつつ多少、下方に下がり、その支持部材前面８ｂの下がった位置からさらに下側の領域においては、支持部材前面８ｂが突出部１４を形成している。この突出部１４は、その下方部分が第２標識灯具ユニット配設領域１０における突出部４２に連なっており、その突出部１４の先端面１４ａは、平坦面をもって突出部４２の先端面４２ａに対して面一とされ、その突出部１４の上面１４ｂには、取付け台部として平坦面１４ｂが形成されている(図２参照)。
【００２６】
ハイビームユニット配設領域１３においては、支持部材前面８ｂが、第１標識灯具ユニット配設領域９における上部領域９ａと第２標識灯具ユニット配設領域１０との間全体で突出しており、その突出部１５は、第２標識灯具ユニット配設領域１０における突出部４２よりも突出され、その突出部１５の先端面は平坦面として形成されている。このハイビームユニット配設領域１３における突出部１５先端面中央部の高さは、ロービームユニット配設領域１２における突出部１４の上面１４ａの高さに略等しく設定されている。
【００２７】
前記支持部材前面８ｂには、図１〜図３に示すように、前記第１標識灯具ユニット配設領域９において、第１標識灯具ユニット１６が取付けられ、前記第２標識灯具ユニット配設領域１０において、第２標識灯具ユニット１７が取付けられている。第１標識灯具ユニット１６及び第２標識灯具ユニット１７としては、具体的には、デイタイムランニングランプユニット兼クリアランスランプユニットが用いられており、その第１標識灯具ユニット１６には、第１導光レンズ１６ａと、光源としての複数の発光素子（例えばＬＥＤ（Light Emitting Diode））１６ｂとが備えられ、第２標識灯具ユニット１７においても、第２導光レンズ１７ａと、光源としての複数の発光素子（例えばＬＥＤ）１７ｂとが備えられている。
【００２８】
第１標識灯具ユニット１６においては、第１導光レンズ１６ａとして、第１標識灯具ユニット配設領域９の形状に対応した形状のものが用いられている。具体的には、第１導光レンズ１６ａは、上側レンズ部１６ａａ及び側方側レンズ部１６ａｂを一体的に備えており、この第１導光レンズ１６ａは、支持部材８に取付けられることにより、支持部材前面８ｂの前方において、上側レンズ部１６ａａが支持部材前面８ｂの上部領域９ａを覆い、側方側レンズ部１６ａｂが支持部材前面８ｂの外側側部領域９ｂを覆っている。
複数の発光素子１６ｂは、第１標識灯具ユニット配設領域９において、支持部材前面８ｂに取付けられており、その複数の発光素子１６ｂは、標識灯具ユニット配設領域９の伸び方向に一定間隔毎に配置されている。
【００２９】
第２標識灯具ユニット１７においては、第２導光レンズ１７ａとして、第２標識灯具ユニット配設領域１０の形状に対応した形状のものが用いられている。具体的には、第２導光レンズ１７ａは、一定幅を維持しつつ直線状に伸びるものが用いられ、その第２導光レンズ１７ａも、支持部材８に取付けられることにより、第２標識灯具ユニット配設領域１０の前方において、その第２標識灯具ユニット配設領域１０を覆っている。
複数の発光素子１７ｂは、第２標識灯具ユニット配設領域１０において、支持部材前面８ｂ（突出部先端面４２ａ）に取付けられており、その複数の発光素子１７ｂは、第２標識灯具ユニット配設領域１０の伸び方向に一定間隔毎に配置されている。
尚、図１中、符号１８は、第１、第２導光レンズ１６ａ，１７ａの周囲を覆うエクステンションリフレクタを示す。
【００３０】
前記支持部材前面８ｂには、図１、図２、図４に示すように、前記ロービームユニット配設領域１２において、プロジェクタ型のロービームユニットＬＵが取付けられている。
ロービームユニットＬＵは、ロービーム照射に基づき前方（例えば２５ｍ前方に配置された仮想鉛直スクリーン上）にロービーム配光パターンを形成するように設定されている。このため、ロービームユニットＬＵには、図１、図２に示すように、車両前後方向に延びる光軸上に配置された投影レンズ１９と、その投影レンズ１９の後方焦点よりも後方の前記突出部上面１４ａにおいて配置された光源としてのロービーム用発光素子（例えばＬＥＤ）２０と、上記突出部上面１４ａに発光素子２０を上方から覆うように取付けられてその発光素子２０からの光を投影レンズ１９に向けて反射するリフレクタ２１と、そのリフレクタ２１からの反射光の一部を遮光する遮光シェード２２と、が備えられている。
【００３１】
この場合、投影レンズ１９としては、図１に示すように、ロービームユニットＬＵだけでなく後述のハイビームユニットＨＵにも使用できるようにすべく、ロービームユニット用投影レンズとハイビームユニット用投影レンズとが一体化されて横長形状とされたものが用いられている。この共通の投影レンズ１９は、その横方向一方側領域（投影レンズ１９の伸び方向一方側領域：図１中、左側領域）２４がロービームユニット用投影レンズとして機能することになる。この投影レンズ１９は、遮光シェード２２と共に、支持部材前面８ｂに取付けられるレンズホルダ（図示略）に取付けられている。
これにより、ロービームユニットＬＵは、図５に示すように、ロービームを車両前方に照射するときには基本的に、投影レンズ１９の横方向一方側領域２４を利用するべく、その横方向一方側領域２４に向けてロービームを出射する。尚、図５においては、説明の便宜上、発光素子２０から後述の案内リフレクタ２８に出射される光線については省略されている。
【００３２】
前記支持部材前面８ｂには、図１、図３、図４に示すように、前記ハイビームユニット配設領域１３において、ハイビームユニットＨＵが取付けられている。ハイビームユニットＨＵは、前記投影レンズ１９のうち、その横方向他方側領域（投影レンズ１９の伸び方向他方側領域：図１中、右側領域）２５がハイビームユニット用投影レンズとして機能することになっており、その投影レンズ１９の横方向他方側領域２５と、前記突出部１５の先端面中央部に取付けられて投影レンズ１９の横方向他方側領域２５に臨むハイビーム用発光素子（例えばＬＥＤ）２６とにより、ハイビームユニットＨＵが構成されている。
これにより、ハイビームユニットＨＵは、ハイビームを車両前方に照射するときには、図６に示すように、投影レンズ１９の横方向他方側領域２５に向けてハイビームを出射することになる。勿論このハイビームを車両前方に照射するときには同時に、ロービームユニットＬＵがロービームを投影レンズ１９の横方向一方側領域２４に出射する（図６参照）。この図６においても、説明の便宜上、ロービームユニットＬＵにおける発光素子２０から後述の案内リフレクタ２８に出射される光線については省略されている。
尚、図１においては、第１、第２標識灯具ユニット１６，１７、ロービームユニットＬＵ、ハイビームユニットＨＵ等の前方に透光カバー３が存在するが、見易くするために便宜上、これらユニット１６，１７、ＬＵ、ＨＵ等については、実線をもって描かれている。
【００３３】
前記前照灯１には、前記基本的構成要素に加えて、図７に示すように、案内リフレクタ２８が備えられている。案内リフレクタ２８は、ロービームユニットＬＵにおける発光素子２０からの出射光を投影レンズ１９の横方向他方側領域２５に案内する機能を有しており、その案内リフレクタ２８としては、本実施形態においては、複数（本実施形態では２つ）の第１案内リフレクタ２９と複数（本実施形態では２つ）の第２案内リフレクタ３０とが用いられている。
具体的には、複数の第１案内リフレクタ２９は、ロービームユニットＬＵのリフレクタ２１と投影レンズ１９との間において、投影レンズ１９の横方向一方側に配置されており、その各第１案内リフレクタ２９の案内面（反射面）は、ロービームユニットＬＵにおける発光素子２０からの出射光を直接、受光し、その反射光を前記突出部１５先端面に向けて反射するように設定されている。複数の第２案内リフレクタ３０は、支持部材８の突出部１５先端面と投影レンズ１９（横方向他方側領域２５）との間に配置され、その各第２案内リフレクタ３０の案内面（反射面）は、第１案内リフレクタ２９からの反射光を受光し、その反射光をロービームとして投影レンズ１９の横方向他方側領域２５に向けて反射するように設定されている。
尚、上記複数の第１案内リフレクタ２９及び複数の第２案内リフレクタ３０は、支持部材８に取付けられている。
【００３４】
これにより、ロービームを車両前方に照射するときには、図７に示すように、ロービームユニットＬＵは、投影レンズ１９の横方向一方側領域２４へのロービームの出射だけでなく、その発光素子２０からの出射光を、複数の第１、第２の案内リフレクタ２９，３０を利用して、投影レンズ１９の横方向他方側領域２５にロービームとして出射することになり、投影レンズ１９の横方向一方側領域２４だけでなく投影レンズ１９の横方向他方側領域２５をも光らせることができる。このため、前照灯１全体（投影レンズ１９全体）を光らせることができることになり、見栄えの向上を図ることができる。
【００３５】
図８は第２実施形態、図９〜図１３は第３実施形態、図１４、図１５は第４実施形態、図１６、図１７は第５実施形態、図１８、図１９は第６実施形態を示す。各実施形態において、前記第１実施形態と同一構成要素については同一符号を付してその説明を省略する。
【００３６】
図８に示す第２実施形態は、第１実施形態の変形例を示す。この第２実施形態においては、ロービームユニットＬＵにおけるリフレクタ２１の先端開口側内周面に、その上部において、第３案内リフレクタ３１が取付けられている。この第３案内リフレクタ３１は、その案内面（反射面）が、発光素子２０からの出射光を直接、入射光として受止め、その反射光を前記第１案内リフレクタ２９に向けて反射するように設定されている。
これにより、リフレクタ２１の先端開口側内周面に対する第３案内リフレクタ３１の取付け調整に基づき、第１案内リフレクタ２９が発光素子２０からの出射光を直接、受光する場合（前記第１実施形態）に比して、第１案内リフレクタ２９の配置位置の自由度を高めることができ、これに伴い、第２案内リフレクタ３０の配置位置の自由度も高めることができる。
【００３７】
図９〜図１３に示す第３実施形態は、案内リフレクタ２８に代えて、前照灯１におけるハイビームユニットＨＵが、ハイビーム用光源としてのハイビーム用ＬＥＤ群３２の他に、ロービーム用光源としてのロービーム用ＬＥＤ群３３を備え、そのロービーム用ＬＥＤ群３３が、ロービームユニットＬＵによるロービーム出射時に、ロービームをハイビームユニット用投影レンズ２５Ａに出射するものを示している。
【００３８】
具体的に説明する。支持部材前面８ｂにおける突出部１５先端面には、ハイビーム用ＬＥＤ群３２（本実施形態においてはＬＥＤを９個使用）とロービーム用ＬＥＤ群３３（本実施形態においてはＬＥＤを２個使用）とが、回路基板３４を介して取付けられている。ハイビーム用ＬＥＤ群３２は、ロービーム用ＬＥＤ群３３よりも下側において配置され、そのハイビーム用ＬＥＤ群３２の各ＬＥＤ３２ａは、光を出射する面状光源として、発光面を車両前方に向けつつ車幅方向（横方向）に並設されている。ロービーム用ＬＥＤ群３３は、その各ＬＥＤ３３ａとして、ハイビーム用ＬＥＤ群３２のＬＥＤ３２ａと同じものが用いられ、その両ＬＥＤ３３ａは、ハイビーム用ＬＥＤ群３２の上側において、発光面を車両前方に向けつつ車幅方向（横方向）に所定間隔をあけて並設されている。
【００３９】
尚、本実施形態においては、投影レンズ１９の横方向一方側領域２４と投影レンズ１９の横方向他方側領域２５とが一体的に連なる共通の投影レンズ１９に代えて、個々独立したロービームユニット用投影レンズ２４Ａとハイビームユニット用投影レンズ２５Ａとを、隣合った配置状態で用いることにより、横方向に伸びるようにして構成された共通の投影レンズ１９が構成されている。勿論この場合、第１実施形態における投影レンズ１９の横方向一方側領域２４と同じ機能をロービームユニット用投影レンズ２４Ａが担保し、第１実施形態における投影レンズ１９の横方向他方側領域２５と同じ機能をハイビームユニット用投影レンズ２５Ａが担保することになる。
【００４０】
この前照灯１は、点灯制御を行うべく、図１１に示すように、制御手段として制御ニットＵを備えている。制御ユニットＵには、ビームスイッチ３５からのＯＮ，ＯＦＦ信号、ビーム切換スイッチ（ロービーム選択検出手段）３６からのハイビーム選択信号、ロービーム選択信号が入力され、その制御ユニットＵからは、発光素子２０、ハイビーム用ＬＥＤ群３２及びロービーム用ＬＥＤ群３３に対する点灯、消灯調整を行う光源調整部（光源調整手段）に対して制御信号が出力されることになる。
【００４１】
制御ユニットＵの制御例を、図１２に示すフローチャートに基づき、具体的に説明する。尚、図１２におけるＳはステップを示す。
制御ユニットＵの起動状態においては、先ず、Ｓ１において、ビームスイッチ３５がＯＮされたか否かが判別される。このＳ１がＮＯのときには、そのＳ１の判別が繰り返される一方、Ｓ１がＹＥＳのときには、Ｓ２において、ビーム切換スイッチ３６によりロービーム出射が選択されたか否かが判別される。ロービーム出射が選択されたときに、図１３に示すように、ロービームユニットＬＵによってロービームユニット用投影レンズ２４Ａにロービームを出射するだけでなく、ハイビームユニットＨＵにおけるロービーム用ＬＥＤ群３３を用いて、ロービームをハイビームユニット用投影レンズ２５Ａに出射するためである。このため、Ｓ２がＹＥＳのときには、ロービームユニットＬＵの発光素子２０が発光されると共に、ハイビームユニットＨＵにおけるロービーム用ＬＥＤ群３３が発光される（Ｓ３、Ｓ４参照）。
【００４２】
前記Ｓ２がＮＯのときは、ハイビーム出射が選択されたときであり、このときには、ハイビームユニットＨＵにおけるハイビーム用ＬＥＤ群３２が発光されると共に、ロービームユニットＬＵの発光素子２０が発光される（Ｓ５、Ｓ６参照）。
【００４３】
したがって、この第３実施形態においては、ロービームを車両前方に照射するときには、図１３に示すように、ロービームユニットＬＵがロービームをロービームユニット用投影レンズ２４Ａに出射するだけでなく、ハイビームユニットＨＵにおけるロービーム用ＬＥＤ群３３が発光してハイビームユニット用投影レンズ２５Ａにロービームを出射することになり、ロービームユニット用投影レンズ２４だけでなくハイビームユニット用投影レンズ２５をも光らせることができる。
【００４４】
図１４、図１５に示す第４実施形態は、前記第１実施形態の変形例を示すものである。この第４実施形態には、ロービームユニットＬＵからロービームが投影レンズ１９の横方向一方側領域２４に向けて出射されるとき、案内リフレクタ２８としての第１〜第３サブリフレクタ４１〜４３を利用して、ロービームユニットＬＵの発光素子２０からの出射光を投影レンズ１９の横方向他方側領域２５にロービームとして出射するものが示されている。具体的に説明する。
【００４５】
灯室内６には、支持部材８に取付けられたロービームユニットＬＵとハイビームユニットＨＵとが横方向（図１４、図１５中、左右方向）に並設した状態で収容され、そのロービームユニットＬＵ及びハイビームユニットＨＵの前方には、それらの共通の投影レンズとして、横長形状の投影レンズ１９が配置されている。
ロービームユニットＬＵは、灯室内６内において、横方向一方側（図１４中、左側）に配置され、ハイビームユニットＨＵは、ロービームユニットＬＵよりも多少、後方に位置した状態で横方向他方側（図１４中、右側）に配置されている。このロービームユニットＬＵには、前記第１実施形態同様、プロジェクタ型のものが用いられ、発光素子２０から出射される出射光は、リフレクタ２１により反射され、その反射光は、投影レンズ１９に向かうロービームとなる。ハイビームユニットＨＵには、本実施形態においては、プロジェクタ型のものが用いられ、発光素子２６から出射される出射光は、リフレクタ４０により反射され、その反射光は、投影レンズ１９に向かうハイビームとなる。
投影レンズ１９は、並設されるロービームユニットＬＵ及びハイビームユニットＨＵに沿うように多少、湾曲しながら横方向に伸びており、第１実施形態同様、その横方向一方側領域（投影レンズ１９の伸び方向一方側領域：図１４中、左側）２４が、前記ロービームを受光するロービームユニット用投影レンズとして機能し、その横方向他方側領域（投影レンズ１９の伸び方向他方側領域：図１４中、右側）２５が、前記ハイビームを受光するハイビームユニット用投影レンズとして機能することになる。このため、ロービームユニットＬＵからのロービームを車両前方に照射するときには、そのロービームは投影レンズ１９の横方向一方側領域２４を通過し、ハイビームユニットＨＵからのハイビームを車両前方に照射するときには、そのハイビームは投影レンズ１９の横方向他方側領域２５を通過する。勿論、ハイビームユニットＨＵからハイビームが出射されるときには、同時に、ロービームユニットＬＵからのロービームも出射される。
【００４６】
前記第１〜第３サブリフレクタ４1〜４３は、ロービームユニットＬＵにおけるリフレクタ２１と投影レンズ１９との間に配置されている。
第１サブリフレクタ４１は、リフレクタ２１における横方向他方側の前側開口上部寄り前方に位置され、その反射面は、発光素子２０からの出射光をリフレクタ２１を経ることなく直接、受光できる受光領域に臨んでいる。しかも、第１サブリフレクタ４１の反射面の向きは、その反射面による反射光を、リフレクタ２１における横方向一方側の前側開口前方であって突出部１４よりも下方側に導くように調整されている。第２サブリフレクタ４２は、その反射面が第１サブリフレクタ４１からの反射光の受光領域（リフレクタ２１における横方向一方側の前側開口前方であって突出部１４よりも下方側の位置）に配置され、その反射面の向きは、その反射面による反射光を、リフレクタ２１における横方向他方側寄りの前側開口前方であって突出部１４よりも下方側に導くように調整されている。第３サブリフレクタ４３は、その反射面が第２サブリフレクタ４２からの反射光の受光領域（リフレクタ２１における横方向他方側寄りの前側開口前方であって突出部１４よりも下方側の位置）に配置されており、その反射面の向きは、その反射面による反射光を、投影レンズ１９の横方向他方側領域２５に導くように調整されている。
尚、図１５においては、投影レンズ１９の後方に、第１〜第３サブリフレクタ４１〜４３、ロービームユニットＬＵ、ハイビームユニットＨＵが存在することになるが、見易くするため、第１〜第３サブリフレクタ４１〜４３、ロービームユニットＬＵ、ハイビームユニットＨＵを実線を用いて示した（以下、図１７、図１９においても同じ）。
【００４７】
したがって、ロービームを車両前方に照射するときには、ロービームユニットＬＵは、投影レンズ１９の横方向一方側領域２４へのロービームの出射だけでなく、その発光素子２０からの出射光を、図１４、図１５の矢印線に示すように、第１〜第３サブリフレクタ４１〜４３を利用して、投影レンズ１９の横方向他方側領域２５へロービームとして出射することになり、投影レンズ１９の横方向一方側領域２４だけでなく投影レンズ１９の横方向他方側領域２５をも光らせることができる
【００４８】
図１６、図１７に示す第５実施形態は、前記第４実施形態の変形例を示すものである。この第５実施形態において、前記第４実施形態と同一構成要素については同一符号を付してその説明を省略する。
【００４９】
この第５実施形態においては、第１サブリフレクタ４１は、リフレクタ２１における横方向一方側の前側開口下部前方に位置されて、その反射面は、発光素子２０からの出射光をリフレクタ２１を経ることなく直接、受光できる受光領域に臨んでいる。しかも、第１サブリフレクタ４１の反射面の向きは、その反射面による反射光を、リフレクタ２１における横方向他方側の前側開口下部前方に導くように調整されている。第２サブリフレクタ４２は、その反射面が第１サブリフレクタ４１からの反射光の受光領域（リフレクタ２１における横方向他方側の前側開口下部前方の位置）に配置されており、その反射面の向きは、その反射面による反射光を、リフレクタ２１における横方向一方側の前側開口前方であって突出部１４よりも下方側に導くように調整されている。第３サブリフレクタ４３は、その反射面が第２サブリフレクタ４２からの反射光の受光領域（リフレクタ２１における横方向一方側の前側開口前方であって突出部１４よりも下方側の位置）に配置されており、その反射面の向きは、その反射面による反射光を、投影レンズ１９の横方向他方側領域２５に導くように調整されている。
【００５０】
したがって、この場合にも、ロービームを車両前方に照射するときには、ロービームユニットＬＵは、投影レンズ１９の横方向一方側領域２４へのロービームの出射だけでなく、その発光素子２０からの出射光を、図１６、図１７の矢印線に示すように、第１〜第３サブリフレクタ４１〜４３を利用して、投影レンズ１９の横方向他方側領域２５へロービームとして出射することになり、投影レンズ１９の横方向一方側領域２４だけでなく投影レンズ１９の横方向他方側領域２５をも光らせることができる
【００５１】
図１８、図１９に示す第６実施形態は、前記第４、第５実施形態の変形例を示すものである。この第６実施形態において、前記第４、第５実施形態と同一構成要素については同一符号を付してその説明を省略する。
【００５２】
この第６実施形態においては、第１サブリフレクタ４１は、リフレクタ２１における横方向一方側の前側開口上部寄り前方に位置され、その反射面は、発光素子２０からの出射光をリフレクタ２１を経ることなく直接、受光できる受光領域に臨んでいる。しかも、第１サブリフレクタ４１の反射面の向きは、その反射面による反射光を、リフレクタ（ハイビームユニットＨＵ）４０における横方向他方側の前側開口下部前方に導くように調整されている。第２サブリフレクタ４２は、その反射面が第１サブリフレクタ４１からの反射光の受光領域（リフレクタ４０における横方向他方側の前側開口下部前方の位置）に配置されており、その反射面の向きは、その反射面による反射光を、リフレクタ２１における横方向一方側の前側開口前方であって突出部１４よりも下方側に導くように調整されている。第３サブリフレクタ４３は、その反射面が第２サブリフレクタ４２からの反射光の受光領域（リフレクタ２１における横方向一方側の前側開口前方であって突出部１４よりも下方側の位置）に配置されており、その反射面の向きは、その反射面による反射光を、投影レンズ１９の横方向他方側領域２５に導くように調整されている。
【００５３】
したがって、この場合にも、ロービームを車両前方に照射するときには、ロービームユニットＬＵは、投影レンズ１９の横方向一方側領域２４へのロービームの出射だけでなく、その発光素子２０からの出射光を、図１８、図１９の矢印線に示すように、第１〜第３サブリフレクタ４１〜４３を利用して、投影レンズ１９の横方向他方側領域２５へロービームとして出射することになり、投影レンズ１９の横方向一方側領域２４だけでなく投影レンズ１９の横方向他方側領域２５をも光らせることができる。
【符号の説明】
【００５４】
１  前照灯（車両用灯具）
２０  発光素子
１９  投影レンズ
２４  投影レンズ１９の横方向一方側領域
２４Ａ  ロービームユニット用投影レンズ
２５  投影レンズ１９の横方向他方側領域
２５Ａ  ハイビームユニット用投影レンズ
２８  案内リフレクタ
２９  第１案内リフレクタ（案内リフレクタ２８）
３０  第２案内リフレクタ（案内リフレクタ２８）
３１  第３案内リフレクタ（案内リフレクタ２８）
３３  ハイビームユニットにおけるロービーム用ＬＥＤ群
３６  ビーム切換スイッチ（ロービーム選択検出手段）
３７  光源調整部（光源調整手段）
４１  第１サブリフレクタ（案内リフレクタ２８）
４２  第２サブリフレクタ（案内リフレクタ２８）
４３  第３サブリフレクタ（案内リフレクタ２８）
ＬＵ  ロービームユニット
ＨＵ  ハイビームユニット
Ｕ  制御ユニット（制御手段）
【図１】
2018092883.tif 000003
【図２】
2018092883.tif 000004
【図３】
2018092883.tif 000005
【図４】
2018092883.tif 000006
【図５】
2018092883.tif 000007
【図６】
2018092883.tif 000008
【図７】
2018092883.tif 000009
【図８】
2018092883.tif 000010
【図９】
2018092883.tif 000011
【図１０】
2018092883.tif 000012
【図１１】
2018092883.tif 000013
【図１２】
2018092883.tif 000014
【図１３】
2018092883.tif 000015
【図１４】
2018092883.tif 000016
【図１５】
2018092883.tif 000017
【図１６】
2018092883.tif 000018
【図１７】
2018092883.tif 000019
【図１８】
2018092883.tif 000020
【図１９】
2018092883.tif 000021